(57)【要約】  端末保持装置は、端末装置から出力されるオーディオ信号を受け取り、電気・機械振動変換器により、オーディオ信号を機械振動に変換する。また、端末保持装置は、取付部により、被取付部、例えば車両のダッシュボードやフロントガラスなどに取り付けられる。電気・機械振動変換器は取付部に設けられており、機械振動を被取付部に伝達して当該被取付部の部材を振動させ、オーディオ信号に対応する音響を出力する。
2012053060.tif 000002
【特許請求の範囲】
【請求項１】
端末装置を装着する端末保持装置であって、
前記端末装置が装着される装着部と、
前記端末装置から出力されるオーディオ信号を受け取る入力部と、
前記オーディオ信号を機械振動に変換する電気・機械振動変換器と、
前記端末保持装置を被取付部に取り付ける取付部と、
前記装着部と前記取付部とを連結する連結部と、を備え、
前記電気・機械振動変換器は、前記取付部に設けられており、前記機械振動を前記被取付部に伝達して当該被取付部の部材を振動させ、前記オーディオ信号に対応する音声を出力することを特徴とする端末保持装置。
【請求項２】
前記電気・機械振動変換器よりの振動が端末保持装置や端末装置に伝達されることを抑制する振動吸収部をさらに備えることを特徴とする請求項１に記載の端末保持装置。
【請求項３】
前記振動吸収部は前記取付部に設けられてこの取付部を前記被取付部に吸着する吸盤であり、
前記電気・機械振動変換器は前記吸盤の内部に配置されていることを特徴とする請求項２に記載の端末保持装置。
【請求項４】
前記入力部は、前記連結部の内部に設けられたことを特徴とする請求項１のいずれか一項に記載の端末保持装置。
【請求項５】
前記電気・機械振動変換器は、前記吸盤の吸着面近傍の部分を介して前記被取付部と接触することを特徴とする請求項３に記載の端末保持装置。
【請求項６】
前記電気・機械振動変換器は、前記被取付部と直接的に接触することを特徴とする請求項１に記載の端末保持装置。
【請求項７】
前記取付部は、接着部材によって前記被取付部に取り付けられ、
前記電気・機械振動変換器は、前記接着部材上に配置されて当該接着部材を介して前記被取付部と接触し、
前記電気・機械振動変換器の周囲には振動吸収部が設けられていることを特徴とする請求項１に記載の端末保持装置。
【発明の詳細な説明】
【技術分野】
【０００１】
本発明は、端末装置を保持する端末保持装置に関する。
【背景技術】
【０００２】
車のウィンドガラスを音響振動板として利用し、音楽を再生する自動車用音響再生装置が知られている。この装置は、車体の剛性を有する部分に固定され、振動発生部がウィンドガラスに圧接触される。オーディオ信号が入力されると、振動発生部は機械的振動を発生する。この機械的振動がウィンドガラスに伝搬し、オーディオ再生音が発生する（特許文献１、２を参照）。【０００３】
また、電気音響変換器を構成するドライバユニットにより車両のルーフトップを振動させて音響出力を発生する音響再生装置も提案されている（特許文献３を参照）。【０００４】
上記の手法では、オーディオ信号を出力する機器を音響再生装置と別個にどこかの場所に固定する必要がある。
【先行技術文献】
【特許文献】
【０００５】
【特許文献１】特開平６−２０５４９７号公報
【特許文献２】実開昭６２−１４３３８３号公報
【特許文献３】特開昭５９−４３３９号公報
【発明の概要】
【発明が解決しようとする課題】
【０００６】
本発明が解決しようとする課題としては、上記のものが例として挙げられる。本発明は、オーディオ信号を出力する装置とともに被取付部に容易に取り付けることができ、被取付部の振動を利用してオーディオ信号の音響出力が可能な端末保持装置を提供することを目的とする。
【課題を解決するための手段】
【０００７】
請求項１に記載の発明は、端末装置を装着する端末保持装置であって、前記端末装置が装着される装着部と、前記端末装置から出力されるオーディオ信号を受け取る入力部と、前記オーディオ信号を機械振動に変換する電気・機械振動変換器と、前記端末保持装置を被取付部に取り付ける取付部と、前記装着部と前記と取付部とを連結する連結部と、を備え、前記電気・機械振動変換器は前記取付部に設けられており、前記機械振動を前記被取付部に伝達して当該被取付部の部材を振動させ、前記オーディオ信号に対応する音声を出力することを特徴とする。
【図面の簡単な説明】
【０００８】
【図１】本発明の実施例に係る端末保持装置の正面図、側面図及び背面図である。
【図２】端末装置と取付部との電気的な接続を模式的に示す図である。
【図３】第１実施例に係る取付部の構成を示す断面図である。
【図４】第２実施例に係る取付部の構成を示す断面図である。
【図５】第３実施例に係る取付部の構成を示す断面図である。
【発明を実施するための形態】
【０００９】
本発明の好適な実施形態では、端末装置を装着する端末保持装置は、前記端末装置が装着される装着部と、前記端末装置から出力されるオーディオ信号を受け取る入力部と、前記オーディオ信号を機械振動に変換する電気・機械振動変換器と、前記端末保持装置を被取付部に取り付ける取付部と、前記装着部と前記と取付部とを連結する連結部と、を備え、前記電気・機械振動変換器は前記取付部に設けられており、前記機械振動を前記被取付部に伝達して当該被取付部の部材を振動させ、前記オーディオ信号に対応する音声を出力する。
【００１０】
上記の端末保持装置は、端末装置から出力されるオーディオ信号を受け取り、電気・機械振動変換器によりオーディオ信号を機械振動に変換する。また、端末保持装置は、装着部と取付部が連結部により連結され、取付部により、被取付部、例えば車両のダッシュボードやフロントガラスなどに取り付けられる。電気・機械振動変換器は取付部に設けられており、機械振動を被取付部に伝達して当該被取付部の部材を振動させ、オーディオ信号に対応する音声を出力する。即ち、端末保持装置は、取り付けられた箇所を音響振動板として、入力されたオーディオ信号に対応する音響を出力する。オーディオ信号源である端末装置は端末保持装置に保持されているので、端末装置を装着した状態で端末保持装置を被取付部に取り付けるだけで、オーディオ信号を音響出力することができ。即ち、オーディオ信号源を、電気・機械振動変換器と別個に被取付部又はその周辺に取り付ける必要がない。
【００１１】
上記の端末保持装置の一態様では、入力部は連結部の内部に設けられている。この態様では、入力部が端末保持装置の外部に露出することがなく、入力部の破損などを防止できるので、オーディオ信号を確実に電気・機会振動変換器に供給することができる。
【００１２】
また、上記の端末保持装置の他の一態様では、前記電気・機械振動変換器よりの振動が端末保持装置や端末装置に伝達されることを抑制する振動吸収部をさらに備える。この態様では、前記電気・機械振動変換器より発生した振動が装着部や連結部、端末装置へ伝達されるのを抑制することができる。
【００１３】
また、上記の端末保持装置の一態様では、前記振動吸収部は前記取付部に設けられて取付部を前記被取付部に吸着する吸盤であり、前記電気・機械振動変換器は前記吸盤の内部に配置されている。この態様では、電気・機械振動変換器は吸盤の内部に配置されているので、吸盤により取付部を確実に取り付けることができる。
【００１４】
好適な例では、前記電気・機械振動変換器は、前記吸盤の吸着面近傍の部分を介して前記被取付部と接触する。この例では、電気・機械振動変換器が吸盤の外部に露出することなく吸盤内部に配置されているので、吸盤による吸着力が低下することがない。
【００１５】
他の好適な例では、前記電気・機械振動変換器は、前記被取付部と直接的に接触する。この例では、電気・機械振動変換器は直接的に被取付部と接触するので、機械振動を効率的に被取付部に伝達し、十分な音量で音声を出力することができる。
【００１６】
上記の端末保持装置の他の一態様では、前記取付部は、接着部材によって前記被取付部に取り付けられ、前記電気・機械振動変換器は、前記接着部材上に配置されて当該接着部材を介して前記被取付部と接触し、前記電気・機械振動変換器の周囲には振動吸収部が設けられている。この態様では、取付部は両面テープなどの接着部材により確実に被取付部に取り付けられる。また、電気・機械振動変換器の振動は、振動吸収部により吸収されるので、取付部を介して端末保持装置の他の部分や端末装置へ伝わる振動を低減することができる。
【実施例】
【００１７】
以下、図面を参照して本発明の好適な実施例について説明する。【００１８】
図１は、本発明の実施例に係る端末保持装置１を示す。端末保持装置１は、いわゆるクレードルとして機能し、スマートフォンなどの端末装置５０が取り付けられる。【００１９】
図１は、端末装置５０を保持した状態の端末保持装置１を示している。具体的に、図１（ａ）は端末保持装置１の正面図であり、図１（ｂ）は、端末保持装置１の側面図であり、図１（ｃ）は端末保持装置１の背面図である。【００２０】
図示のように、端末保持装置１は、取付部１１と、ヒンジ１２と、アーム１３と、基板ホルダ２０と、端末ホルダ３０とを備える。【００２１】
取付部１１は、端末保持装置１を車両などの移動体に取り付ける際の土台として機能する。例えば、取付部１１の下面には吸盤や粘着テープなどが設けられ、取付部１１はその吸盤や粘着テープにより車両のダッシュボード、フロントガラスなど、取付部１１が取り付けられる箇所（以下、「被取付部」という。）５に固定される。【００２２】
ヒンジ１２は、アーム１３に固定されるとともに、取付部１１に対して回転可能に取り付けられている。ヒンジ１２の回転により、アーム１３は端末装置５０の前後方向、つまり図１（ｂ）の矢印４１及び４２の方向に回動する。つまり、車両の被取付部５に固定された取付部１１に対してヒンジ１２を介してアーム１３を旋回移動させることにより、被取付部５に対する基板ホルダ２０及び端末ホルダ３０の設置角度が調整可能となっている。【００２３】
基板ホルダ２０は、ジャイロセンサなどの基板を保持するホルダである。具体的には、基板ホルダ２０はボールリンク２２を備える。ボールリンク２２は、アーム１３の上端に取り付けられており、アーム１３に対して基板ホルダ２０を任意の角度で保持する。【００２４】
基板ホルダ２０の内部には、図示しないセンサ基板が設けられており、センサ基板には図示しないセンサが設けられている。センサの好適な一例は、移動体の水平回りの角速度又は加速度の少なくとも一方を検出するジャイロセンサである。【００２５】
端末装置５０は、端末装置５０本体の前面側であり液晶表示パネルなどの表示部を有する表示面５１と、端末装置５０本体の背面側の背面５２とを備える。通常、端末装置５０は矩形の平板形状に構成されており、表示面５１と背面５２は略平行に作られている。【００２６】
端末ホルダ３０には、端末装置５０が装着される。端末ホルダ３０は、端末装置５０を保持する前面側に、底部３１と、前面３３と、一対のアーム３６とを有する。端末装置５０を端末ホルダ３０に装着した際、底部３１は端末装置５０を下方から支持する。アーム３６は、端末装置５０を左右から挟持する。アーム３６は開閉可能に構成されている。図１（ａ）では、アーム３６を閉じた状態を実線で示し、アーム３６を開いた状態を破線３６ｘで示す。アーム３６は閉じた状態で端末装置５０を保持する。アーム３６は、図示しないボタンなどに連動して自動で開閉するように構成してもよく、手動で開閉するように構成してもよい。なお、端末ホルダ３０とアーム３６は本発明における装着部に相当し、ヒンジ１２、アーム１３およびボールリンク２２は端末ホルダ３６と取付部１１を連結する連結部に相当する。【００２７】
一対のアーム３６の各々は、その先端に、内側、即ち他方のアーム３６側へ向かって延びる爪部３６ａを有する。アーム３６は、爪部３６ａにより、端末装置５０の左右の側部を抱えるように保持する。【００２８】
図２は、端末装置５０と取付部１１との電気的な接続を模式的に示す。取付部１１はトランスデューサ７３を備える。【００２９】
トランスデューサ７３は、オーディオ信号などの電気信号を機械振動に変換する電気・機械振動変換器である。トランスデューサ７３には、端末装置５０からオーディオ信号が供給される。具体的には、図２に示すように、端末装置５０は、その下端にあるコネクタが、端末ホルダ３０の底部３１に設けられたコネクタ３８にはめ込まれる。端末保持装置１には、コネクタ３８から、端末ホルダ３０、基板ホルダ２０、ボールリンク２２、アーム１３、ヒンジ１２及び取付部１１の各内部を通ってトランスデューサ７３に至る配線３９が設けられており、端末装置５０から出力されるオーディオ信号はこの配線３９を通ってトランスデューサ７３へ供給される。なお、オーディオ信号に対して、例えば増幅などの必要な処理を施すための回路基板などを配線３９の途中に設けてもよい。トランスデューサ７３は、供給されたオーディオ信号に応じて機械振動を発生し、その機械振動が被取付部５を構成する部材を振動させることにより音響出力が発生する。なお、配線３９は本発明における入力部に相当し、例えば線材やＦＰＣ（Ｆｌｅｘｉｂｌｅ  Ｐｒｉｎｔｅｄ  Ｃｉｒｃｕｉｔ）などにより構成される。【００３０】
このように、実施例の端末保持装置１では、取付部１１にトランスデューサ７３が設けられ、取付部１１を被取付部５に取り付けた状態で端末装置５０によりオーディオ信号を再生すると、そのオーディオ信号が配線３９を通じてトランスデューサ７３に供給される。トランスデューサ７３は、供給されたオーディオ信号に対応する機械振動を発生し、これが被取付部５の部材を振動させて音響出力が発生する。よって、端末装置５０を装着した端末保持装置１を取り付けてオーディオ信号を再生することにより、被取付部５の部材を音響振動板として音響出力が可能となる。【００３１】
前述の先行文献１乃至３では、音響出力を発生するユニットとは別個に信号源を有するユニットをどこかに配置する必要がある。これに対し、本実施例では、端末装置５０は端末保持装置１に装着されるので、端末保持装置１と別個に被取付部５やその近傍に取り付ける必要はない。【００３２】
また、配線３９はアーム１３などの連結部内部に設けられているので、断線などが防止される。配線３９は本発明における入力部に相当する。【００３３】
次に、取付部１１の実施例について詳細に説明する。【００３４】
［第１実施例］
図３は、第１実施例に係る取付部１１の構成を示す断面図である。第１実施例は、吸盤により端末保持装置１を被取付部５に取り付ける例である。取付部１１は、カバー７０と、吸盤７１と、トランスデューサ７３とを備える。吸盤７１は弾性を有する合成樹脂などにより構成される。吸盤７１は、吸着面７２において被取付部５に吸着する。トランスデューサ７３は、吸盤７１の外部に露出することなく吸盤７１の内部に設けられている。即ち、トランスデューサ７３は、吸盤７１の吸着面７２付近の部分を介して、非直接的に被取付部５に接触する。なお、吸盤７１は本発明の振動吸収部を構成する。【００３５】
トランスデューサ７３が発生する機械振動は、トランスデューサ７３の下側に存在する吸盤７１の部分を通じて被取付部５に伝達され、被取付部５を構成する部材を振動させることにより音響出力を発生させる。トランスデューサ７３の振動を被取付部５に効率的に伝達して十分な音量を得るためには、トランスデューサ７３を吸盤７１の吸着面７２近傍に設け、トランスデューサ７３の下側に存在する吸盤７１の部材の厚さを薄くすることが好ましい。本実施例では、トランスデューサ７３を、吸盤７１の外部に露出しないように吸盤７１の内部に配置するため、吸盤７１による吸着力が低下することがなく、十分な吸着力で端末保持装置１を安定的に被取付部５に取り付けることができる。【００３６】
なお、トランスデューサ７３の振動は下面だけではなく、上面や側面からも生じるが、本実施例ではトランスデューサ７３が吸盤７１内部に設けられているため、トランスデューサ７３の上面や側面から生じる振動は弾性を有する吸盤７１により吸収される。即ち、トランスデューサ７３の上方及び側方に位置する吸盤７１の部材は、振動吸収部材として機能し、トランスデューサ７３が発生した振動が端末支持装置１や端末支持装置１を通じて端末装置５０へ伝達されることを抑制する。これにより端末装置５０の誤動作や異音の発生などを防止できる。【００３７】
［第２実施例］
図４は、第２実施例に係る取付部１１の構成を示す断面図である。第２実施例も吸盤により端末保持装置１を被取付部５に取り付ける例である。取付部１１は、第１実施例と同様に、カバー７０と、吸盤７１と、トランスデューサ７３とを備える。【００３８】
但し、第２実施例では、第１実施例と異なり、トランスデューサ７３はその下面が吸盤７１から露出しており、直接的に被取付部５と接触する。即ち、吸盤７１の吸着面７２の中央付近に穴７４が設けられ、穴７４の内部にトランスデューサ７３が配置されている。【００３９】
第２実施例においては、トランスデューサ７３が発生する機械振動は、直接的に被取付部５を構成する部材に伝達される。よって、第１実施例と比較して、トランスデューサ７３の振動をより効率的に被取付部５に伝達することができ、十分な音量の音響出力が可能となる。【００４０】
なお、第２実施例においても、第１実施例と同様に、トランスデューサ７３の上方及び側方は弾性を有する吸盤７１の部材により覆われているので、トランスデューサ７３から端末保持装置１や端末装置５０へ伝達される振動を低減することができる。【００４１】
［第３実施例］
図５は、第３実施例に係る取付部１１の構成を示す断面図である。第３実施例は、第１及び第２実施例と異なり、両面粘着テープにより取付部１１を被取付部５に取り付ける例である。【００４２】
図５に示すように、取付部１１は、ケース７５の内部に、トランスデューサ７３と、両面テープ７６と、弾性部材７７とを備える。なお、第１及び第２実施例と異なり、７５は底面７０ｘを有する。トランスデューサ７３は、その上面及び側面に弾性部材７７が取り付けられた状態で、ケース７５の底面７５ｘの内側面に取り付けられる。そして、取付部１１は、ケース７５の底面７５ｘの外側面、即ち図５における下面に設けられた両面テープ７６により被取付部５に取り付けられる。なお、両面テープ７６は本発明における接着部材に相当する。【００４３】
トランスデューサ７３が発生する機械振動は、ケース７５の底面７５ｘ及び両面テープ７６を通じて被取付部５に伝達され、被取付部５の部材を振動させることにより音声を発生させる。被取付部５の状態にもよるが、通常、両面テープ７６はそれほど厚くないので、ケース７５の底面７５ｘを可能な範囲で薄くすることにより、トランスデューサ７３が発生する振動を被取付部５へ伝達する効率が向上し、十分な音量の音響出力を得ることが可能となる。【００４４】
一方、弾性部材７７は、振動吸収部として機能する。即ち、トランスデューサ７３の振動は上面及び側面にも発生するが、トランスデューサ７３を覆うように弾性部材７７を設けることにより、端末保持装置１や端末装置５０へ伝達される振動を低減することができる。【００４５】
なお、図５の例では、弾性部材７７をトランスデューサ７３の周辺のみに設けているが、弾性部材７７をケース７５内部の全体に設けてもよい。【００４６】
また、各実施例において、振動吸収部はアーム１３やヒンジ１２などの連結部や端末ホルダ３０とアーム３６による装着部に設けてもよい。
【産業上の利用可能性】
【００４７】
本発明は、各種の端末装置を保持する端末保持装置に利用することができる。
【符号の説明】
【００４８】
１  端末保持装置
１１  保持部
１２  ヒンジ
１３  アーム
３０  端末ホルダ
３６  アーム
５０  端末装置
７０  カバー
７１  吸盤
７２  吸着面
７３  トランスデューサ
７４  ケース
７６  両面テープ
７７  弾性部材
【図１】
2012053060.tif 000003
【図２】
2012053060.tif 000004
【図３】
2012053060.tif 000005
【図４】
2012053060.tif 000006
【図５】
2012053060.tif 000007
【手続補正書】
【提出日】平成23年7月22日(2011.7.22)
【手続補正１】
【補正対象書類名】特許請求の範囲
【補正対象項目名】全文
【補正方法】変更
【補正の内容】
【特許請求の範囲】
【請求項１】
端末装置を装着する端末保持装置であって、
前記端末装置が装着される装着部と、
前記端末装置から出力されるオーディオ信号を受け取る入力部と、
前記オーディオ信号を機械振動に変換する電気・機械振動変換器と、
前記端末保持装置を被取付部に取り付ける取付部と、
前記装着部と前記取付部とを連結する連結部と、を備え、
前記電気・機械振動変換器は、前記取付部に設けられており、前記機械振動を前記被取付部に伝達して当該被取付部の部材を振動させ、前記オーディオ信号に対応する音声を出力することを特徴とする端末保持装置。
【請求項２】
前記電気・機械振動変換器よりの振動が端末保持装置や端末装置に伝達されることを抑制する振動吸収部をさらに備えることを特徴とする請求項１に記載の端末保持装置。
【請求項３】
前記振動吸収部は前記取付部に設けられてこの取付部を前記被取付部に吸着する吸盤であり、
前記電気・機械振動変換器は前記吸盤の内部に配置されていることを特徴とする請求項２に記載の端末保持装置。
【請求項４】
前記入力部は、前記連結部の内部に設けられたことを特徴とする請求項１に記載の端末保持装置。
【請求項５】
前記電気・機械振動変換器は、前記吸盤の吸着面近傍の部分を介して前記被取付部と接触することを特徴とする請求項３に記載の端末保持装置。
【請求項６】
前記電気・機械振動変換器は、前記被取付部と直接的に接触することを特徴とする請求項１に記載の端末保持装置。
【請求項７】
前記取付部は、接着部材によって前記被取付部に取り付けられ、
前記電気・機械振動変換器は、前記接着部材上に配置されて当該接着部材を介して前記被取付部と接触し、
前記電気・機械振動変換器の周囲には振動吸収部が設けられていることを特徴とする請求項１に記載の端末保持装置。
【国際調査報告】
2012053060.tif 000008
2012053060.tif 000009